(57)【要約】紙シート、カード、写真および他のフラットな品物を保持しかつ保護するための収納器具（１０）であって、また最終ユーザーに対して広告するための媒体を提供する。より詳細には本発明は；個別のポケット（１０）を作るように配置された２個の異なる可撓性材料（１２、１４）の結合体および特に可視メッセージ（１５）および／または情報の展示のために設計された延長後部を有する装置の創生の双方に関する。大抵の状況においてこのしるし（１５）は販売促進および／または宣伝的性格のものであり得る。ポケットの前部（１２）はポケットの中身を見ることを許容する薄い透明プラスチックで作られており後部（１４）はより厚い不透明な可撓性材料で作られている。この設計および材料は高速印刷を許容ししかも可撓性製品が損傷を受けることなく再配置され得るように保つ。垂直面に対しては後パネル（１４）の後部を介しての多数の取付け方法がある。
2004534970.tif 000002
【特許請求の範囲】
【請求項１】
紙シート、写真カードおよび他のフラットな品物を保持しかつ保護するための収納器具であって；
ポケットとして記述され得る異なるプラスチックの可撓性のある前および後パネルの結合体を包含しており、
前パネルはポリプロピレンのような不活性耐酸性の透明な薄いプラスチックフィルムから作られており、
後パネルは前パネルに対して異なる化学構造を有するより厚い不透明な合成プラスチック紙から作られており、その好ましい材料は高速印刷に適しており、
後パネルは透明前パネルより頂部がより高くされており、
ポケットは前パネルの２側部および底部を後パネルに対してシールすることにより構成され前パネルの頂部がシールされずに開口を創生し、このポケットが開口の上方に伸長後部を備えており、
後パネルは開口上方にしるし付けまたは書込みを可能とする能力を備えかつ
後パネルの後部が粘着性物質によりポケットの垂直面に対する取付けを許容する、収納器具。
【請求項２】
合成プラスチック紙後パネルのための最も一般的な技術名は、限定的ではないが、合成ポリプロピレンフィルム（カレンダー機械により作られている）、または１００％高密度ポリエチレン繊維圧縮体、またはナイロンフィルム、または両面被覆着色高密度ポリエチレンフィルム、または単層／マイクロポーラス／無被覆／高度充填／ポリオレフィンフィルム、または３層２軸方向性ポリプロピレンフィルム、またはコロナ処理ポリプロピレンを包含している、請求項１によるポケット。
【請求項３】
垂直面への取付け方法が磁石を含んでいる、請求項１によるポケット。
【請求項４】
取付け方法としては粘着テープ、ベルクロ、粘着性泡のような他の知られている材料であり得る、請求項１によるポケット。
【請求項５】
合成プラスチック紙は自体および取付け方法との間の安定した接着を許容している、請求項１によるポケット。
【請求項６】
取付け方法は後パネルの延長部に対するフック、ピンまたはクリップのような別の独立した製品により提供されることができ、しかも開口への制限されない接近が提供されている、請求項１によるポケット。
【請求項７】
しるし付けまたは書込みは記述されまたは記述されなくともよくまたは下のポケット内に収納されている何かに関してもよい、請求項１によるポケット。
【請求項８】
後部に対する延長部は前パネルの高さの最低１７％である、請求項１によるポケット。
【請求項９】
取付け方法は後パネルの後部上の種々の位置に配置され、このようにしてポケットが９０度に位置することが許容されて後延長部がポケットの左または右側になり水平方向となる、請求項１によるポケット。
【請求項１０】
中間製品は前および後パネルのために２個のロール材料を、または２個の分離したプリカットパネルを、または１個のロール材および１個の分離プリカットパネルが使用され得る製造方法により作られる、請求項１によるポケット。
【請求項１１】
垂直面装飾のためのしるし付けのための装置であって、
ポケットとして記述され得る２個の異なるプラスチックの可撓性のある前および後パネルの結合体を包含しており、
前パネルはポリプロピレンのような不活性耐酸性の透明な薄いプラスチックフィルムから作られており、
後パネルは前パネルに対して異なる化学構造を有するより厚い不透明な合成プラスチック紙から作られており、その好ましい材料は高速印刷に適しており、
後パネルは透明前パネルより頂部がより高くされており、
ポケットは前パネルの２側部および底部を後パネルに対してシールすることにより構成され前パネルの頂部がシールされずに開口を創生し、このポケットが開口の上方に延長後部を備えており、
後パネルは開口上方に宣伝および／または促進のためのしるし付けまたは書込みを可能とする能力を備えかつ
後パネルの後部が粘着性物質によりポケットの垂直面に対する取付けを許容する、装置。
【請求項１２】
後パネルのための最も一般的な技術名は、限定的ではないが、合成ポリプロピレンフィルム（カレンダー機械により作られている）、または１００％高密度ポリエチレン繊維圧縮体、またはナイロンフィルム、または２面被覆着色高密度ポリエチレンフィルム、または単層／マイクロポーラス／無被覆／高度充填／ポリオレフィンフィルム、または３層２軸方向性ポリプロピレンフィルム、またはコロナ処理ポリプロピレンを包含している、請求項１１によるポケット。
【請求項１３】
垂直面への取付け方法が磁石を含んでいる、請求項１１によるポケット。
【請求項１４】
取付け方法としては粘着テープ、ベルクロ、粘着性泡のような他の知られている材料であり得る、請求項１１によるポケット。
【請求項１５】
合成プラスチック紙は自体および取付け方法との間の安定したな接着を許容している、請求項１１によるポケット。
【請求項１６】
取付け方法は後パネルの延長部に対するフック、ピンまたはクリップのような別の独立した製品により提供されることができ、しかも開口への制限されない接近が提供されている、請求項１１によるポケット。
【請求項１７】
しるし付けまたは書込みは記述されまたは記述されなくともよくまたは下のポケット内に収納されている何かに関してもよい、請求項１１によるポケット。
【請求項１８】
後部に対する延長部は前パネルの高さの最低１７％である、請求項１１によるポケット。
【請求項１９】
取付け方法は後パネルの後部上の種々の位置に配置され、このようにしてポケットが９０度に位置することが許容されて後延長部がポケットの左または右側になり水平方向となる、請求項１１によるポケット。
【請求項２０】
中間製品は前および後パネルのために２個のロール材料を、または２個の分離したプリカットパネルを、または１個のロール材および１個の分離プリカットパネルが使用され得る製造方法により作られる、請求項１１によるポケット。
【発明の詳細な説明】
【技術分野】
【０００１】
本発明は紙シート、カード、写真および他の平坦な品物の保持および／または保護のために通常使用される貯蔵器具に関する。しかしながら理解されるべきことは本発明が広告媒体として使用されると共に展示、接近容易性および保護用の他品目保持のためのより広い用途を備えていることである。
【０００２】
これらの貯蔵器具の追加の機能は；垂直面に対して固着または取付け可能でありかつ比較的フラットな状態で吊るすことができかつ貯蔵／ポケット器具の後壁の延長部上にメッセージを提供できるようにすることである。このメッセージ／しるしはポケット内に品物が貯蔵されていても常に見得るものである。
【０００３】
特に大きいＡ４版ポケットの場合にポケットの用途を明確に図示したシナリオが両親の冷蔵庫扉に装着され、その中に学校新聞が入れてある。新聞は常時見ることができかつ保持されかつ保護されており、同時に学校からの販売促進メッセージも開口上方のポケット上に印刷されておりこれも見ることができる。
【０００４】
この発明は特に高速機械使用によりしるしの印刷を要する場合に関しかつそうすることをポケット製造の初期段階の一部として可能としている。これはポケットが単に品物を貯蔵するためよりも宣伝および販売促進能力が要求される状況に関連している。
【０００５】
各機能形態も個々に重要であるが、解決方法／形態の組合わせが本発明を新規なものにしている。各種の入手し得る最近のポケットは新しいシステムのような全ての形態を提供するものではない。
【背景技術】
【０００６】
貯蔵および保護のための最近入手し得る可撓性のホルダー／プロテクターポケットの大多数は、頂部で固着／装着の何れかにより器具を垂直状に懸架するための装備を備えておらず、しかもポケットの開口への容易な接近を許容するものではない。更に、それらの何れもポケット上方の器具の頂部にしるしを保持し得るものではない。
【０００７】
これらの器具の或るものは側部上に伸長部を持ち、その伸長部は“リングバインダー”または同様な本内に配置されるエッジを許容している。それらはポケットがその頂部でポケットと一体の部分により装着されかつ垂直状に吊り下げられて情報の明瞭かつ完全なデイスプレーを許容しかつポケット開口が負荷または非負荷中に容易な接近を許容するものではない。
【０００８】
吊り下げられるように設計された他タイプの貯蔵器具／ポケットは所要機能の幾つかを達成するが他の形態を満足させるには問題を備えている。これのひとつの例は特殊な注文製のソフトビニールポケットであり、これは普通正確な形を備えかつ固着手段を追加することができるがビニールは時間の経過と共に曲り、貯蔵品目により反応しかつ殆どの高速印刷工程には適していない。ビニールは環境に優しいとは考えられていない。別の例は各種の薄いプラスチックバッグであり、それらもその上に印刷された情報を持っているがそれらは垂直面に対するそれら自身の固定方法を備えておらずかつフラットな形を保持することができず、むしろ垂れ下がりかつ内蔵物を曲げやすい。
【０００９】
別の最近の例は販売促進策のためのデイスプレー器具であり、それらは厚紙および／または厚紙プラス透明プラスチック前部付きの被覆後部を有するものである。これらの貯蔵器具は一般的に貯蔵される品物の継続的な挿入および取りだしの機能のためには適していない。またそれらは垂直面上での頻繁な位置変えを許容するには充分には柔軟でない。
【発明の開示】
【発明が解決しようとする課題】
【００１０】
従って新しい発明の重要な機能はポケットを提供することであり、そのポケットが内蔵物をデイスプレーすることができしかも規定時間経過後にもその形を保持することができ、不透明な後部材料を備え−この後部材料は垂下を制限するに充分な程度に剛直であるが撓まない程には厚くない。それはその中に（もし所望されるならば）パンチ孔を持つことができる程度に充分強くかつ垂直荷重により容易に破れたり曲らないものでなければならない。
【００１１】
後部材料は好適なデイジタル印刷を包含している高速印刷方法の範囲に適していなければならない。それは前部材料と親和性を備えて底部および両側部上で溶接、シール、糊付け可能でなければならない。
【００１２】
本発明の別の目的は後部材料が好適な面を提供し、その面は磁石、ラベルおよびステッカー上の粘着剤を吸収するが反応はしないものである。これらの品物はそれらの役割を達成するために前部および／または後部に接着される必要がありかつプラスチックポケットの後部が破れたり湾曲することなく容易に持ち上げられかつ戻されることが許容されしかも後部の固着が器具を面に保持するのに充分強くされている。
【００１３】
透明な前部はＰＶＣ（ビニール）のように内側に貯蔵されるものと反応してはならない。
【課題を解決するための手段】
【００１４】
従来技術の不具合の幾らかを克服するために、本発明は、広い形においては、貯蔵システムを提供し、そのシステムは：前および後壁、頂部、底部および前および後壁の間の前壁の頂部近傍の開口とを有する少なくとも１個のポケット、
ポケットの前部が透明な不活性／耐酸性プラスチックでありかつ後部のための好ましい選択が不透明な合成プラスチックペーパーであるプラスチック材料の新しい組合わせおよび
少なくとも１個のポケットを目的物に対して確実保持し底部上方の開口へ実質的に邪魔されることなく接近可能とする固着手段とを包含している。
【００１５】
好ましくは固着手段が少なくとも各ポケットの後壁の部分を包含している。
【００１６】
ポケットの後壁（延長部を含む）および取付け手段は１個の合成シート材料内に一体化され得る。各ポケットの後壁は開口上方へ延びかつポケットを垂直面に対して固着するための粘着性材料が備えられている。
【００１７】
粘着性材料は後壁に対して一体化されまたは接着され得る。好ましくはこの粘着性材料はストリップであり、このストリップは後壁の延長部の後部に接着されている。
【００１８】
粘着性材料は後壁の全体上または部分上に延び、両面テープとされ得る。発明の一形態においてポケットは開口上方の延長頂部付きに作られその後部に対して永久的に取り付けられた磁石ストリップを備えている。これはポケットを金属表面の前に自由に吊りかつ所要ならば簡単に動かすことが許容される。
【００１９】
透明前部のための好ましい材料は鋳造されたポリプロピレンと同様な５０−１００ミクロンのプラスチックである。後部はより厚い不透明な材料でありかつ書込みまたはしるし付け、特に高速印刷を受け付け可能であり、この形態により宣伝媒体が創生される。
【００２０】
後部のための好ましい材料は異なる方法およびベース材料により作られたような合成プラスチック紙の形であり、ベース材料は合成ポリプロピレンフィルム（カレンダー機械により作られている）、または１００％圧縮高密度ポリエチレン繊維、またはナイロンフィルムまたは両面被覆着色高密度ポリエチレンフィルム、または単層／マイクロポーラス／無被覆／高度充填／ポリオレフィンフィルム、または３層２軸方向性ポリプロピレンフィルム、またはコロナ処理ポリプロピレンとして知られているようなものである。
【００２１】
本発明の一形態において合成プラスチック紙はロール材内ですでに印刷されており、この印刷はこれもロール形式の透明体と結合される前に行われる。
【００２２】
ひとつの実施例において後剛性プラスチック紙は印刷した後に透明な前ロールフィルムと結合される前に所定形状にカットされ得る。
【００２３】
別の工程として前部および後部のための双方の材料がロールおよび／またはより大きいサイズから始めた後にポケット形成前により小さい所望サイズにプリカットされる。
【００２４】
頂部への区域は透明前部の１７％（最低として）の比率であり開口上方に印刷のための実質的な面積を許容している。
【００２５】
他の形態においてポケットの面への取付けの方法は粘着性泡またはフックおよびループファスナー材料または他の粘着性物質であり得る。別の取付け方法はプラスチックファスナーであり、このファスナーは（ベルクロと同様に）噛み合う第１および第２面を包含しかつひとつの面はポケット以外の別の面に装着される。
【００２６】
別の形態において延長頂部は単に独立クランプ、クリップなど内に配置され得る。
【００２７】
別の形態において延長頂部は孔が当初からおよびまたは追加され適当な器具に対して頂部の取付けを許容している。
【００２８】
本発明は以下の非限定的な実施例の記述および図面によりより良く理解されるであろう。
【発明を実施するための最良の形態】
【００２９】
図面において、構成要素の厚さは他の寸法との対比により増加されかつ構成要素の実際の厚さが図面内に示されているものよりも遥かに小さいことは評価されるべきである。
【００３０】
図１、２、３および４に関連して；そこにはポケット１０を包含している本発明の第１実施例が示されている。
【００３１】
ポケットは前壁１２および後壁１４を包含している。前および後壁１２、１４は底部９および側部８で接合されて上端が開放したポケットを形成しており、開口１６を介して品物をポケット内に配置し得る。好ましくは前および後壁１２、１４は透明プラスチック材料１２のシートを不透明なプラスチック材料１４に対して底部および側部で溶接することにより形成される。
【００３２】
後壁１４は開口１６を越えて上方へ延びてしるし１５のための領域を創生し、このようにしてポケットが広告媒体となる。両面粘着性テープ１８が後壁１４の後面に対して積層されている。ストリップ１８は後壁１４の全幅にわたりかつ開口１６上方の実質的に全高にわたり延びている。しかしながら、ストリップ１８の粘着強度および意図されているポケットの用途により、ポケット１８は壁１４の自由部分より小さくまたは大きくされ得る。取り外し可能なカバー付きのより厚い糊物質が両面粘着性テープ１８に代わり得る。
【００３３】
図５、６、７および８は最終的ポケット構造を達成するための前および後材料組合わせ時の代わりの各種製造工程を図示している。図５では後形２１は透明前部２３と一体化される前に予めカットされている。後形２１は図６のように、予めカットされた前部２６と適合されることもできる。図７においては、後部３１および前部２３は共にロール材である。図８内に示されているように前ピース２６は後連続ロール材３１に適合している。
【００３４】
明瞭化のために我々は後ピース２１またはロール版３１に関するいかなる印刷情報も示していない。また注目されるべきことは、図示されている製造方法の何れかまたは全てにおいて、前部および後部が前部を後部の下からひっくり返し得ることである。これらの選択肢は全製造工程の一部のみにも描写される。
【００３５】
図９は発明品５０の更なる実施例を示している。この実施例においてはポケットは上述の実施例と同様に形成されかつ後壁５４は前壁５２の上方へ延びている。磁力ストリップ５８が後壁５４の後面に対して固着されている。このストリップは壁５４の自由部分の高さの約半分でありかつ頂端部近傍に固着されている。使用中にこのポケットは冷蔵庫の扉または上向き開口５６付きの同様なもののような通常垂直な磁性面に取り付けられる。
【００３６】
図１０および１１は図１−４および９の実施例に比べてより永久的固着が意図されている２個の実施例を示している。
【００３７】
図１０の実施例６０においては、後壁６４は開口上方へ延びかつ粘着性物質６８が後壁の後面の各種の場所に装着されている。粘着材は粘着材の強度および意図している負荷により後壁６４の後面の全体または壁６４の一部のみに延ばし得る。図１０内に示されているように、好ましくは粘着材６８は後壁の延長部上に不連続パッチの形で存在している。
【００３８】
オプションとして、後壁６４の前面は書き込みを受けることもでき、または図１１内に示されているように、材料７９の分離ピースが自由部分の前面に装着されて記事またはしるしの取付けの目的が達成され得る。この追加材料７９は後壁に対して積層されまたは好適な接着剤で固着され得る。記事、印刷または同様なものを受け付けるための材料７９の分離ピースが本発明の別の実施例でも使用され得ることも評価されるべきである。
【００３９】
図１２は更なる実施例８０を示しており、そこでは固着手段８４は第１および第２連結部分８５および８６を包含している。第１部分８５は後壁８２の頂部エッジ近傍に好ましくは接着剤により固着され、一方第２部分８６は垂直面８８への装着用の接着剤８７を備えている。第１および第２部分は器具の幅の全体または一部を横切って延びる伸長ストリップ状である。
【００４０】
図１３は図１２の器具の変形例を示しており、その中で固着手段９４はフックおよびループファスナー材料を包含している。後壁９２に固着されている部分９５は好ましくは接着剤により固着されているが、縫合されてもよい。他部分９６は好ましくは面９８への固着用の接着剤を備えている。
【００４１】
図１４は本発明の更なる変形を示しており、その中でポケット１００は開口１０６の上方へ延びる平坦な後壁１０２を備えている。後壁１０２は上端エッジ近傍の幅を横切って延びる一連の孔１０８を備えている。これらの孔は円形または卵形であり、ポケット１００を各種間隔で備えられたフックまたは同種器具から吊り下げられるようにしている。
【００４２】
本発明は２個のプラスチックの接合方法に限定されるものではない。多くの可能な方法があり、それらは、限定されるものではないが、衝撃熱シール、ダイウエルデイング、超音波溶接、高周波溶接または冷間積層を包含している。
【００４３】
当業者であれば本発明の精神または範囲から離れることなくここに記述された実施例に対して多くの修正および変更がなされ得ることは認識されるべきである。
【図面の簡単な説明】
【００４４】
本発明は実施例の以下の非限定的記述および図面によりより良く理解されるであろう。
【図１】本発明の第１実施例の斜視図である。
【図２】図１の実施例の側面図である。
【図３】図１の実施例の平面図である。
【図４】本発明の図１の実施例の後面図である。
【図５】製造中の斜視図で後部はプラスチックの個々の矩形カットシートであり前部はまだロール形である。
【図６】製造中の斜視図で後部および前部は共に個々に矩形である。
【図７】前部および後部が共に溶接前からロール形の製造中の斜視図である。
【図８】後部がロール形でありかつ透明前部がカットシート形である溶接前の製造中の斜視図である。
【図９】本発明の実施例の断面図である。
【図１０】本発明の実施例の断面図である。
【図１１】本発明の実施例の断面図である。
【図１２】本発明の実施例の断面図である。
【図１３】本発明の実施例の断面図である。
【図１４】本発明の更なる実施例の斜視図である。
【国際公開パンフレット】
2004534970.tif 000003
2004534970.tif 000004
2004534970.tif 000005
2004534970.tif 000006
2004534970.tif 000007
2004534970.tif 000008
2004534970.tif 000009
2004534970.tif 000010
2004534970.tif 000011
2004534970.tif 000012
2004534970.tif 000013
2004534970.tif 000014
2004534970.tif 000015
2004534970.tif 000016
2004534970.tif 000017
【国際公開パンフレット（コレクトバージョン）】
2004534970.tif 000018
2004534970.tif 000019
【国際調査報告】
2004534970.tif 000020
2004534970.tif 000021
2004534970.tif 000022